(57)【要約】【課題】良好な光学性能を有する撮影レンズ、この撮影レンズを有する光学機器、及び、撮影レンズの製造方法を提供する。【解決手段】一眼レフカメラ１等の光学機器に用いられる撮影レンズＳＬは、物体側より順に、正の屈折力を有する第１レンズ群ＧＦと、正の屈折力を有する第２レンズ群ＧＲと、を有し、第１レンズ群ＧＦ及び第２レンズ群ＧＲは、無限遠から近距離物体へ合焦する際に、光軸に沿って移動するとともに、移動する区間の少なくとも一部において、第１レンズ群ＧＦの移動量と第２レンズ群ＧＲの移動量とが異なるように移動し、第２レンズ群ＧＲは、正の屈折力を有する第１レンズＬ２１と負の屈折力を有する第２レンズＬ２２とが貼り合わされた接合レンズＧ７を有し、所定の条件式を満足することを特徴とする。【選択図】図１
2012185263.tif 000002
【特許請求の範囲】
【請求項１】
物体側より順に、正の屈折力を有する第１レンズ群と、正の屈折力を有する第２レンズ群と、を有し、
前記第１レンズ群及び前記第２レンズ群は、無限遠から近距離物体へ合焦する際に、光軸に沿って移動するとともに、移動する区間の少なくとも一部において、前記第１レンズ群の移動量と前記第２レンズ群の移動量とが異なるように移動し、
前記第２レンズ群は、正の屈折力を有する第１レンズと負の屈折力を有する第２レンズとが貼り合わされた接合レンズを有し、
以下の条件式を満足することを特徴とする撮影レンズ。
１４  ＜  ＧＲν１−ＧＲν２  ＜  ３０
１．５０  ＜  ｙＲ１／ｙＦ１  ＜  ２．８０
但し、
ＧＲν１：前記第１レンズの媒質のｄ線に対するアッベ数
ＧＲν２：前記第２レンズの媒質のｄ線に対するアッベ数
ｙＦ１：無限遠から撮影倍率−０．０１倍に合焦するときの前記第１レンズ群の光軸上の移動量
ｙＲ１：無限遠から撮影倍率−０．０１倍に合焦するときの前記第２レンズ群の光軸上の移動量
【請求項２】
以下の条件式を満足することを特徴とする請求項１に記載の撮影レンズ。
１．７８  ＜  （ＧＲｎ１＋ＧＲｎ２）／２  ＜  ２．００
但し、
ＧＲｎ１：前記第１レンズの媒質のｄ線に対する屈折率
ＧＲｎ２：前記第２レンズの媒質のｄ線に対する屈折率
【請求項３】
前記第１レンズ群及び前記第２レンズ群は、無限遠から近距離物体へ合焦する際に、移動する区間の少なくとも一部において、互いの移動量の変化率が異なるように移動することを特徴とする請求項１または２に記載の撮影レンズ。
【請求項４】
前記第１レンズ群内に開口絞りを有することを特徴とする請求項１〜３のいずれか一項に記載の撮影レンズ。
【請求項５】
前記第１レンズ群は、最も物体側に配置された正の屈折力を有する第１レンズ成分と、正の屈折力を有する第２レンズ成分と、を有し、以下の条件式を満足することを特徴とする請求項１〜４のいずれか一項に記載の撮影レンズ。
５８  ＜  （ＧＦν１＋ＧＦν２）／２  ＜  ６５
但し、
ＧＦν１：前記第１レンズ成分の媒質のｄ線に対するアッベ数
ＧＦν２：前記第２レンズ成分の媒質のｄ線に対するアッベ数
【請求項６】
以下の条件式を満足することを特徴とする請求項５に記載の撮影レンズ。
１．４９  ＜  （ＧＦｎ１＋ＧＦｎ２）／２  ＜  １．８０
但し、
ＧＦｎ１：前記第１レンズ成分の媒質のｄ線に対する屈折率
ＧＦｎ２：前記第２レンズ成分の媒質のｄ線に対する屈折率
【請求項７】
請求項１〜６のいずれか一項に記載の撮影レンズを有することを特徴とする光学機器。
【請求項８】
物体側より順に、正の屈折力を有する第１レンズ群と、正の屈折力を有する第２レンズ群と、を有する撮影レンズの製造方法であって、
前記第１レンズ群及び前記第２レンズ群を、無限遠から近距離物体へ合焦する際に、光軸に沿って移動するとともに、移動する区間の少なくとも一部において、前記第１レンズ群の移動量と前記第２レンズ群の移動量とが異なるように移動するように配置し、
前記第２レンズ群は、正の屈折力を有する第１レンズと負の屈折力を有する第２レンズとが貼り合わされた接合レンズを有し、以下の条件式を満足するように配置することを特徴とする撮影レンズの製造方法。
１４  ＜  ＧＲν１−ＧＲν２  ＜  ３０
１．５０  ＜  ｙＲ１／ｙＦ１  ＜  ２．８０
但し、
ＧＲν１：前記第１レンズの媒質のｄ線に対するアッベ数
ＧＲν２：前記第２レンズの媒質のｄ線に対するアッベ数
ｙＦ１：無限遠から撮影倍率−０．０１倍に合焦するときの前記第１レンズ群の光軸上の移動量
ｙＲ１：無限遠から撮影倍率−０．０１倍に合焦するときの前記第２レンズ群の光軸上の移動量
【発明の詳細な説明】
【技術分野】
【０００１】
本発明は、撮影レンズ、この撮影レンズを有する光学機器、及び、撮影レンズの製造方法に関する。
【背景技術】
【０００２】
従来、写真用カメラやビデオカメラ等で、Ｆナンバーが比較的明るく、光学性能が容易に得られるレンズタイプとして、いわゆるガウス型レンズがあり、現在も多く用いられている（例えば、特許文献1参照）。
【先行技術文献】
【特許文献】
【０００３】
【特許文献１】特開２０１０−０７２３５９号公報
【発明の概要】
【発明が解決しようとする課題】
【０００４】
しかしながら、従来のレンズは十分に高い光学性能を有しているとは言えなかった。
【０００５】
本発明はこのような課題に鑑みてなされたものであり、良好な光学性能を有する撮影レンズ、この撮影レンズを有する光学機器、及び、撮影レンズの製造方法を提供することを目的とする。
【課題を解決するための手段】
【０００６】
前記課題を解決するために、本発明に係る撮影レンズは、物体側より順に、正の屈折力を有する第１レンズ群と、正の屈折力を有する第２レンズ群と、を有し、第１レンズ群及び第２レンズ群は、無限遠から近距離物体へ合焦する際に、光軸に沿って移動するとともに、移動する区間の少なくとも一部において、第１レンズ群の移動量と第２レンズ群の移動量とが異なるように移動し、第２レンズ群は、正の屈折力を有する第１レンズと負の屈折力を有する第２レンズとが貼り合わされた接合レンズを有し、以下の条件式を満足することを特徴とする。
１４  ＜  ＧＲν１−ＧＲν２  ＜  ３０
１．５０  ＜  ｙＲ１／ｙＦ１  ＜  ２．８０
但し、
ＧＲν１：第１レンズの媒質のｄ線に対するアッベ数
ＧＲν２：第２レンズの媒質のｄ線に対するアッベ数
ｙＦ１：無限遠から撮影倍率−０．０１倍に合焦するときの第１レンズ群の光軸上の移動量
ｙＲ１：無限遠から撮影倍率−０．０１倍に合焦するときの第２レンズ群の光軸上の移動量
【０００７】
また、このような撮影レンズは、以下の条件式を満足することが好ましい。
１．７８  ＜  （ＧＲｎ１＋ＧＲｎ２）／２  ＜  ２．００
但し、
ＧＲｎ１：第１レンズの媒質のｄ線に対する屈折率
ＧＲｎ２：第２レンズの媒質のｄ線に対する屈折率
【０００８】
また、このような撮影レンズにおいて、第１レンズ群及び第２レンズ群は、無限遠から近距離物体へ合焦する際に、移動する区間の少なくとも一部において、互いの移動量の変化率が異なるように移動することが好ましい。
【０００９】
また、このような撮影レンズは、第１レンズ群内に開口絞りを有することが好ましい。
【００１０】
また、このような撮影レンズにおいて、第１レンズ群は、最も物体側に配置された正の屈折力を有する第１レンズ成分と、正の屈折力を有する第２レンズ成分と、を有し、以下の条件式を満足することが好ましい。
５８  ＜  （ＧＦν１＋ＧＦν２）／２  ＜  ６５
但し、
ＧＦν１：第１レンズ成分の媒質のｄ線に対するアッベ数
ＧＦν２：第２レンズ成分の媒質のｄ線に対するアッベ数
【００１１】
また、このような撮影レンズは、以下の条件式を満足することが好ましい。
１．４９  ＜  （ＧＦｎ１＋ＧＦｎ２）／２  ＜  １．８０
但し、
ＧＦｎ１：第１レンズ成分の媒質のｄ線に対する屈折率
ＧＦｎ２：第２レンズ成分の媒質のｄ線に対する屈折率
【００１２】
また、本発明に係る光学機器は、上述の撮影レンズのいずれかを有することを特徴とする。
【００１３】
また、本発明に係る撮影レンズの製造方法は、物体側より順に、正の屈折力を有する第１レンズ群と、正の屈折力を有する第２レンズ群と、を有する撮影レンズの製造方法であって、第１レンズ群及び第２レンズ群を、無限遠から近距離物体へ合焦する際に、光軸に沿って移動するとともに、移動する区間の少なくとも一部において、第１レンズ群の移動量と第２レンズ群の移動量とが異なるように移動するように配置し、第２レンズ群は、正の屈折力を有する第１レンズと負の屈折力を有する第２レンズとが貼り合わされた接合レンズを有し、以下の条件式を満足するように配置することを特徴とする。
１４  ＜  ＧＲν１−ＧＲν２  ＜  ３０
１．５０  ＜  ｙＲ１／ｙＦ１  ＜  ２．８０
但し、
ＧＲν１：第１レンズの媒質のｄ線に対するアッベ数
ＧＲν２：第２レンズの媒質のｄ線に対するアッベ数
ｙＦ１：無限遠から撮影倍率−０．０１倍に合焦するときの第１レンズ群の光軸上の移動量
ｙＲ１：無限遠から撮影倍率−０．０１倍に合焦するときの第２レンズ群の光軸上の移動量
【発明の効果】
【００１４】
本発明によれば、良好な光学性能を有する撮影レンズ、この撮影レンズを有する光学機器、及び、撮影レンズの製造方法を提供することができる。
【図面の簡単な説明】
【００１５】
【図１】第１実施例に係る撮影レンズの構成を示すレンズ断面図である。
【図２】第１実施例に係る撮影レンズの諸収差図であって、（ａ）は無限遠合焦状態を示し、（ｂ）は撮影倍率−０．０１倍に合焦したときの中間撮影距離合焦状態を示し、（ｃ）は撮影倍率−０．０７倍に合焦したときの近距離合焦状態を示す。
【図３】第２実施例に係る撮影レンズの構成を示すレンズ断面図である。
【図４】第２実施例に係る撮影レンズの諸収差図であって、（ａ）は無限遠合焦状態を示し、（ｂ）は撮影倍率−０．０１倍に合焦したときの中間撮影距離合焦状態を示し、（ｃ）は撮影倍率−０．０７倍に合焦したときの近距離合焦状態を示す。
【図５】第３実施例に係る撮影レンズの構成を示すレンズ断面図である。
【図６】第３実施例に係る撮影レンズの諸収差図であって、（ａ）は無限遠合焦状態を示し、（ｂ）は撮影倍率−０．０１倍に合焦したときの中間撮影距離合焦状態を示し、（ｃ）は撮影倍率−０．０７倍に合焦したときの近距離合焦状態を示す。
【図７】第４実施例に係る撮影レンズの構成を示すレンズ断面図である。
【図８】第４実施例に係る撮影レンズの諸収差図であって、（ａ）は無限遠合焦状態を示し、（ｂ）は撮影倍率−０．０１倍に合焦したときの中間撮影距離合焦状態を示し、（ｃ）は撮影倍率−０．０７倍に合焦したときの近距離合焦状態を示す。
【図９】第５実施例に係る撮影レンズの構成を示すレンズ断面図である。
【図１０】第５実施例に係る撮影レンズの諸収差図であって、（ａ）は無限遠合焦状態を示し、（ｂ）は撮影倍率−０．０１倍に合焦したときの中間撮影距離合焦状態を示し、（ｃ）は撮影倍率−０．０７倍に合焦したときの近距離合焦状態を示す。
【図１１】第６実施例に係る撮影レンズの構成を示すレンズ断面図である。
【図１２】第６実施例に係る撮影レンズの諸収差図であって、（ａ）は無限遠合焦状態を示し、（ｂ）は撮影倍率−０．０１倍に合焦したときの中間撮影距離合焦状態を示し、（ｃ）は撮影倍率−０．０７倍に合焦したときの近距離合焦状態を示す。
【図１３】撮影レンズを搭載する一眼レフカメラの断面図を示す。
【図１４】撮影レンズの製造方法を説明するためのフロ−チャ−トである。
【発明を実施するための形態】
【００１６】
以下、本発明の好ましい実施形態について図面を参照して説明する。図１に示すように、本実施形態に係る撮影レンズＳＬは、光軸に沿って、物体側から順に、正の屈折力を有する第１レンズ群ＧＦと、正の屈折力を有する第２レンズ群ＧＲと、を有し、第２レンズ群ＧＲは、物体側より順に、正の屈折力を有する第１レンズ（両凸レンズＬ２１）と負の屈折力を有する第２レンズ（負メニスカスレンズＬ２２）とが貼り合わされた接合レンズＧ７を有して構成されている。このような構成とすることにより、本実施形態に係る撮影レンズＳＬは、有効径が２５ｍｍから３０ｍｍ程度の大口径レンズとすることができる。また、最も像側のレンズに、第１レンズ及び第２レンズを張り合わせた接合レンズＧ７を配置することで、像側に配置されたレンズでも色消し効果があり、全体として色収差が補正できる。特に、合焦時の色収差の変動を少なくすることができる。また、この接合レンズＧ７は、第２レンズ群Ｇ２の最も物体側から順に、第１レンズと第２レンズとが配置されていることが好ましい。また、この２枚の第１及び第２レンズを、このような接合レンズＧ７とすることにより、この接合レンズＧ７での迷光の発生を防ぎ、当該撮影レンズＳＬにおいて光線を良好に通すことができる。
【００１７】
このような撮影レンズＳＬの具体的な実施の形態としては、図１に示すように、第１レンズ群ＧＦは、正の屈折力を有するレンズ成分Ｇ１（物体側に凸面を向けた正メニスカスレンズＬ１１）、正の屈折力を有するレンズ成分Ｇ２（物体側に凸面を向けた正メニスカスレンズＬ１２）、正の屈折力を有するレンズ成分Ｇ３（物体側に凸面を向けた正メニスカスレンズＬ１３）、負の屈折力を有するレンズ成分Ｇ４（物体側に凸面を向けた負メニスカスレンズＬ１４)、負の屈折力を有するレンズ（両凹レンズＬ１５）と正の屈折力を有するレンズ（両凸レンズＬ１６）とを貼り合わせた接合レンズＧ５、及び、正の屈折力を有するレンズ成分Ｇ６（物体側に凹面を向けた正メニスカスレンズＬ１７）から構成されており、また、第２レンズ群ＧＲは、上述の接合レンズＧ７から構成されており、全体として、７群９枚のレンズで構成されていることが望ましい。なお、開口絞りＳは、第１レンズ群ＧＦの負レンズ成分Ｇ４と接合レンズＧ５との間に配置されている。
【００１８】
このように、本実施形態に係る撮影レンズＳＬは、いわゆるガウスタイプのレンズを変形したものである。ガウスタイプでは、絞りの前後にてレンズが略対称の形状をしているため、その対称性により、歪曲収差などの補正が容易である。
【００１９】
それでは、このような撮影レンズＳＬを構成するための条件について説明する。まず、本実施形態に係る撮影レンズＳＬは、無限遠から近距離物体へ合焦する際に、第１レンズ群ＧＦ及び第２レンズ群ＧＲが光軸に沿って移動するとともに、移動する区間の少なくとも一部において、第１レンズ群ＧＦの移動量と第２レンズ群ＧＲの移動量とが異なるように移動するように構成されている。合焦に際し、第１及び第２レンズ群ＧＦ，ＧＲをこのように移動させると、収差の発生を抑え良好な光学性能を得ることができる。
【００２０】
また、本実施形態に係る撮影レンズＳＬは、以下の条件式（１）を満足することが望ましい。
【００２１】
１４  ＜  ＧＲν１−ＧＲν２  ＜  ３０                      （１）
但し、
ＧＲν１：第１レンズＬ２１の媒質のｄ線に対するアッベ数
ＧＲν２：第２レンズＬ２２の媒質のｄ線に対するアッベ数
【００２２】
条件式（１）は、第２レンズ群ＧＲ中の正の屈折力を有する第１レンズＬ２１と負の屈折力を有する第２レンズＬ２２との分散を規定するための条件式である。この条件式（１）を満足することによって、色収差補正が可能である。この条件式（１）の下限値を下回ると、色収差補正が困難になり、球面収差も補正不足となってしまい良好な性能を維持することが困難なため好ましくない。なお、本実施形態の効果を確実にするために、条件式（１）の下限値を１５にすることが好ましい。また、この条件式（１）の上限値を上回ると、色収差補正が不足してしまい良好な性能を維持することが困難なため好ましくない。なお、本実施形態の効果を確実にするために、条件式（１）の上限値を２０にすることが好ましい。
【００２３】
また、本実施形態に係る撮影レンズＳＬは、以下の条件式（２）を満足することが好ましい。
【００２４】
１．５０  ＜  ｙＲ１／ｙＦ１  ＜  ２．８０                  （２）
但し、
ｙＦ１：無限遠から撮影倍率−０．０１倍に合焦するときの第１レンズ群ＧＦの光軸上の移動量
ｙＲ１：無限遠から撮影倍率−０．０１倍に合焦するときの第２レンズ群ＧＲの光軸上の移動量
【００２５】
条件式（２）は、第１レンズ群ＧＦ及び第２レンズ群ＧＲの中間撮影距離時の合焦における移動比率の適切な範囲を規定するための条件式である。条件式（２）の下限値を下回ると、第２レンズ群ＧＲ単体で発生する倍率色収差が悪化してしまうため好ましくない。なお、本実施形態の効果を確実にするために、条件式（２）の下限値を１．６０にすることが好ましい。また、条件式（２）の上限値を上回ると、コマ収差及び像面湾曲が補正過剰になってしまうため好ましくない。なお本実施形態の効果を確実にするために、条件式（２）の上限値を２．５０にすることが好ましい。
【００２６】
また、本実施形態に係る撮影レンズＳＬは、以下の条件式（３）を満足することが好ましい。
【００２７】
１．７８  ＜  （ＧＲｎ１＋ＧＲｎ２）／２  ＜  ２．００      （３）
但し、
ＧＲｎ１：第１レンズＬ２１の媒質のｄ線に対する屈折率
ＧＲｎ２：第２レンズＬ２２の媒質のｄ線に対する屈折率
【００２８】
条件式（３）は、第２レンズ群ＧＲ中の接合レンズＧ７を構成する正の屈折力を有する第１レンズＬ２１の媒質の屈折率と、負の屈折力を有する第２レンズＬ２２の媒質の屈折率とを規定するための条件式である。条件式（３）を満足することによって、ペッツバ−ル和の増大を防ぐことができる。この条件式（３）の下限値を下回ると、球面収差が過剰補正されてしまい良好な性能を維持することが困難なため好ましくない。なお、本実施形態の効果を確実にするために、条件式（３）の下限値を１．８０にすることが好ましい。また、この条件式（３）の上限値を上回ると、ペッツバール和が増大してしまい良好な性能を維持することが困難なため好ましくない。なお、本実施形態の効果を確実にするために、条件式（３）の上限値を１．８５にすることが好ましい。
【００２９】
また、本実施形態に係る撮影レンズＳＬにおいて、第１レンズ群ＧＦ及び第２レンズ群ＧＲは、無限遠から近距離物体へ合焦する際に、移動する区間の少なくとも一部において、互いの移動量の変化率が異なるように移動することが好ましい。このように構成することにより、無限遠から近距離物体までの撮影距離全域において球面収差と像面湾曲を良好に補正することができる。
【００３０】
また、本実施形態に係る撮影レンズＳＬは、第１レンズ群ＧＦ内に開口絞りＳを有することが好ましい。このように構成することにより、合焦の際に、コマ収差を良好に補正することができる。
【００３１】
また、本実施形態に係る撮影レンズＳＬにおいて、第１レンズ群ＧＦは、最も物体側に配置された正の屈折力を有する第１レンズ成分Ｇ１（正メニスカスレンズＬ１１）と、正の屈折力を有する第２レンズ成分Ｇ２（正メニスカスレンズＬ１２）と、を有し、以下の条件式（４）を満足することが好ましい。
【００３２】
５８．０  ＜  （ＧＦν１＋ＧＦν２）／２  ＜  ６５．０      （４）
但し、
ＧＦν１：第１レンズ成分Ｇ１の媒質のｄ線に対するアッベ数
ＧＦν２：第２レンズ成分Ｇ２の媒質のｄ線に対するアッベ数
【００３３】
条件式（４）は、第１レンズ群ＧＦ中の正の屈折力を有する第１レンズ成分Ｇ１と正の屈折力を有する第２レンズ成分Ｇ２との分散を規定するための条件式である。条件式（４）を満足することによって、色収差を良好に補正することができる。特に、コマ収差を良好に補正できる。この条件式（４）の下限値を下回ると、倍率色収差補正が不足してしまい良好な性能を維持することが困難なため好ましくない。なお、本実施形態の効果を確実にするために、条件式（４）の下限値を６０．０にすることが好ましい。また、この条件式（４）の上限値を上回ると、倍率色収差補正が過剰となり良好な性能を維持することが困難なため好ましくない。なお、本実施形態の効果を確実にするために、条件式（４）の上限値を６２．５にすることが好ましい。
【００３４】
また、本実施形態に係る撮影レンズＳＬは、以下の条件式（５）を満足することが好ましい。
【００３５】
１．４９  ＜  （ＧＦｎ１＋ＧＦｎ２）／２  ＜  １．８０      （５）
但し、
ＧＦｎ１：第１レンズ成分Ｇ１の媒質のｄ線に対する屈折率
ＧＦｎ２：第２レンズ成分Ｇ２の媒質のｄ線に対する屈折率
【００３６】
条件式（５）は、第１レンズ群ＧＦ中の正の屈折力を有する第１レンズ成分Ｇ１の媒質の屈折率と正の屈折力を有する第２レンズ成分Ｇ２の媒質の屈折率とを規定するための条件式である。条件式（５）を満足することによって、コマ収差及び倍率色収差を良好に補正することができる。この条件式（５）の下限値を下回ると、コマ収差及び倍率色収差が補正不足となり良好な性能を維持することが困難なため好ましくない。なお、本実施形態の効果を確実にするために、条件式（５）の下限値を１．５９にすることが好ましい。また、この条件式（５）の上限値を上回ると、コマ収差及び倍率色収差が補正過剰となり良好な性能を維持することが困難なため好ましくない。なお、本実施形態の効果を確実にするために、条件式（５）の上限値を１．７２にすることが好ましい。
【００３７】
図１３に、上述の撮影レンズＳＬを備える光学機器として、一眼レフカメラ１（以後、単にカメラと記す）の略断面図を示す。このカメラ１において、不図示の物体（被写体）からの光は、撮影レンズ２（撮影レンズＳＬ）で集光されて、クイックリタ−ンミラ−３を介して焦点板４に結像される。そして、焦点板４に結像された光は、ペンタプリズム５中で複数回反射されて接眼レンズ６へと導かれる。これにより、撮影者は、物体（被写体）像を、接眼レンズ６を介して正立像として観察することができる。
【００３８】
また、撮影者によって不図示のレリ−ズボタンが押されると、クイックリタ−ンミラ−３が光路外へ退避し、撮影レンズ２で集光された不図示の物体（被写体）の光は撮像素子７上に被写体像を形成する。これにより、物体（被写体）からの光は、当該撮像素子７により撮像され、物体（被写体）画像として不図示のメモリに記録される。このようにして、撮影者は本カメラ１による物体（被写体）の撮影を行うことができる。なお、図１３に記載のカメラ１は、撮影レンズＳＬを着脱可能に保持するものでも良く、撮影レンズＳＬと一体に成形されるものでも良い。また、カメラ１は、いわゆる一眼レフカメラでも良く、クイックリタ−ンミラ−等を有さないコンパクトカメラ若しくはミラ−レスの一眼レフカメラでも良い。
【００３９】
なお、以上の説明において、「レンズ成分」とは、１枚の単レンズ（レンズ要素）、若しくは、２枚以上の単レンズ（レンズ要素）を接合した接合レンズを指すものとする。
【００４０】
また、以下に記載の内容は、光学性能を損なわない範囲で適宜採用可能である
【００４１】
本実施形態では、２群または３群構成の撮影レンズＳＬを示したが、以上の構成条件等は、４群、５群等の他の群構成にも適用可能である。また、最も物体側にレンズまたはレンズ群を追加した構成や、最も像側にレンズまたはレンズ群を追加した構成でも構わない。また、レンズ群とは、変倍時若しくは合焦時に変化する空気間隔で分離された、少なくとも１枚のレンズを有する部分を示す。
【００４２】
また、単独または複数のレンズ群、または部分レンズ群を光軸方向に移動させて、無限遠物体から近距離物体への合焦を行う合焦レンズ群としても良い。この場合、前記合焦レンズ群はオートフォーカスにも適用でき、オートフォーカス用の（超音波モーター等を用いた）モーター駆動にも適している。
【００４３】
また、レンズ群または部分レンズ群を光軸に垂直な方向の成分を持つように移動させ、または、光軸を含む面内方向に回転移動（揺動）させて、手ぶれによって生じる像ぶれを補正する防振レンズ群としても良い。特に、第１レンズ群ＧＦのレンズ成分Ｇ５（レンズＬ１５，Ｌ１６）及びレンズ成分Ｇ６の少なくとも一枚を防振レンズ群とするのが好ましい。
【００４４】
また、レンズ面は、球面または平面で形成されても、非球面で形成されても構わない。レンズ面が球面または平面の場合、レンズ加工及び組立調整が容易になり、加工及び組立調整の誤差による光学性能の劣化を妨げるので好ましい。また、光軸方向に像面がずれた場合でも描写性能の劣化が少ないので好ましい。レンズ面が非球面の場合、非球面は、研削加工による非球面、ガラスを型で非球面形状に形成したガラスモ−ルド非球面、ガラスの表面に樹脂を非球面形状に形成した複合型非球面のいずれの非球面でも構わない。また、レンズ面は回折面としても良く、レンズを屈折率分布型レンズ（ＧＲＩＮレンズ）あるいはプラスチックレンズとしても良い。
【００４５】
また、開口絞りは第１レンズ群ＧＦ内に配置されるのが好ましいが、開口絞りとしての部材を設けずに、レンズの枠でその役割を代用しても良い。
【００４６】
さらに、各レンズ面には、フレアやゴ−ストを軽減し高コントラストの高い光学性能を達成するために、広い波長域で高い透過率を有する反射防止膜を施しても良い。
【００４７】
また、本実施形態に係る撮影レンズＳＬは、３５ｍｍフィルムサイズ換算での焦点距離が、６０ｍｍから１５０ｍｍ程度、好ましくは８０ｍｍから９０ｍｍ程度である。また、本実施形態に係る撮影レンズＳＬは、最も像側に配置される正の屈折力を有する第２レンズＬ２２の像側面から像面Ｉまでの光軸上の距離（バックフォーカス）が最も小さい状態で１０ｍｍから３０ｍｍ程度とするのが望ましい。
【００４８】
以下、本実施形態に係る撮影レンズＳＬの製造方法の概略を、図１４を参照して説明する。まず、各レンズを配置してレンズ群をそれぞれ準備する（ステップＳ１００）。具体的に、本実施形態では、例えば、物体側から順に、物体側に凸面を向けた正メニスカスレンズＬ１１、物体側に凸面を向けた正メニスカスレンズＬ１２、物体側に凸面を向けた正メニスカスレンズＬ１３、物体側に凸面を向けた負メニスカスレンズＬ１４、両凹レンズＬ１５と両凸レンズＬ１６とを接合した接合レンズ、及び、物体側に凹面を向けた正メニスカスレンズＬ１７を配置して第１レンズ群ＧＦとし、物体側から順に、両凸レンズＬ２１と両凹レンズＬ２１とを接合した接合レンズを配置して第２レンズ群ＧＲとする。また、開口絞りＳを、第１レンズ群ＧＦの負レンズ成分Ｇ４と接合レンズＧ５との間に配置し、フィルター群ＦＬを第２レンズ群と像面Ｉとの間に配置する。このようにして準備した各レンズ群を配置して撮影レンズＳＬを製造する。
【００４９】
この際、第１レンズ群ＧＦ及び前記第２レンズ群ＧＲを、無限遠から近距離物体へ合焦する際に、光軸に沿って移動するとともに、移動する区間の少なくとも一部において、第１レンズ群ＧＦの移動量と第２レンズ群ＧＲの移動量とが異なるように移動するように配置する（ステップＳ２００）。また、第１レンズ群ＧＦ及び第２レンズ群ＧＲが上述の条件式（１）及び条件式（２）を満足するように配置する（ステップＳ３００）。
【００５０】
本発明に係る撮影レンズＳＬ、この撮影レンズＳＬを備えた光学機器１、及び、撮影レンズＳＬの製造方法を以上のように構成すると、Ｆナンバーが１．２程度であり、画面全体の諸収差、特に色収差を良好に補正することができ、画面全体にわたり高い光学性能を有した撮影レンズＳＬを得ることができる。
【実施例】
【００５１】
以下に、本実施形態に係る撮影レンズＳＬの各実施例を図面に基づいて説明する。なお、図１、図３、図５、図７、図９及び図１１は、各実施例に係る撮影レンズＳＬ（ＳＬ１?ＳＬ６）の構成及び屈折力配分並びに無限遠合焦状態から近距離合焦状態への合焦状態の変化における各レンズ群の移動の様子を示す断面図である。これらの図に示すように、本実施例に係る撮影レンズＳＬ（ＳＬ１?ＳＬ６）は、いずれも上述のように、光軸に沿って、物体側から順に、正の屈折力を有する第１レンズ群ＧＦと、正の屈折力を有する第２レンズ群ＧＲと、を有する。また、第１レンズ群ＧＦは、物体側から順に、正の屈折力を有するレンズ成分（第１レンズ成分）Ｇ１、正の屈折力を有するレンズ成分（第２レンズ成分）Ｇ２、正の屈折力を有するレンズ成分Ｇ３、負の屈折力を有するレンズ成分Ｇ４、開口絞りＳ、負の屈折力を有するレンズＬ１５と正の屈折力を有するレンズＬ１６とを貼り合わせた接合レンズＧ５、及び、正の屈折力を有するレンズ成分Ｇ７から構成される。また、第２レンズ群ＧＲは、正の屈折力を有する第１レンズＬ２１と負の屈折力を有する第２レンズＬ２２とを貼り合わせた接合レンズＧ７から構成される。なお、開口絞りＳは、負レンズ成分Ｇ４と接合レンズＧ５との間に配置される。また、第２レンズ群ＧＲと像面Ｉとの間に、フィルター群ＦＬが配置されている。ここで、フィルター群ＦＬは、ロ−パスフィルターや赤外カットフィルター等から構成されている。そして、無限遠合焦状態から近距離合焦状態への変化（すなわちフォ−カシング）に際して、第１レンズ群ＧＦと第２レンズ群ＧＲは、像面Ｉに対して光軸上を移動し、第１レンズ群ＧＦと第２レンズ群ＧＲとの間隔が変化する。像面Ｉは、撮像素子（例えば、フィルム、ＣＣＤ、ＣＭＯＳ等）に結像される。
【００５２】
［第１実施例］
図１は、第１実施例に係る撮影レンズＳＬ１の構成を示す図である。この図１の撮影レンズＳＬ１において、レンズ成分（第１レンズ成分）Ｇ１は、物体側に凸面を向けた正メニスカスレンズＬ１１で構成され、レンズ成分（第２レンズ成分）Ｇ２は、物体側に凸面を向けた正メニスカスレンズＬ１２で構成され、レンズ成分Ｇ３は、物体側に凸面を向けた正メニスカスレンズＬ１３で構成され、レンズ成分Ｇ４は、物体側に凸面を向けた負メニスカスレンズＬ１４で構成され、接合レンズＧ５は、両凹レンズＬ１５と両凸レンズＬ１６とを張り合わせて構成され、レンズ成分Ｇ６は、物体側に凹面を向けた正メニスカスレンズＬ１７で構成され、接合レンズＧ７は、両凸レンズ（第１レンズ）Ｌ２１と両凹レンズ（第２レンズ）Ｌ２２とを張り合わせて構成される。また、フィルター群ＦＬは、３枚の平板状のフィルターで構成される。
【００５３】
また、このような構成に係る撮影レンズＳＬ１において、無限遠から近距離物体への合焦は、第１レンズ群ＧＦ及び第２レンズ群ＧＲを別々に物体側に繰出すことにより行われる。なお、開口絞りＳは、第１レンズ群ＧＦ内（上述のように、レンズ成分Ｇ４と接合レンズＧ５との間）に配置され、無限遠から近距離物体への合焦に際して第１レンズ群ＧＦと一体に移動する。
【００５４】
以下の表１に、本第１実施例に係る撮影レンズＳＬ１の諸元の値を掲げる。この表１の全体諸元において、ｆは焦点距離、ＦＮＯはＦナンバー、２ωは画角［°］、Ｙは像高、ＴＬは全長を表している。なお、これらの値は無限遠合焦時のものである。また、全長ＴＬは、撮影レンズＳＬ１の最も物体側のレンズ面（第１面）から像面Ｉまでの光軸上の距離である。また、レンズデ−タにおいて、第１欄ｍは、光線の進行する方向に沿った物体側からの光学面の順序（面番号）を、第２欄ｒは、各光学面の曲率半径を、第３欄ｄは、各光学面から次の光学面までの光軸上の距離（面間隔）を、第４欄ｎｄ及び第５欄νｄは、それぞれｄ線（λ＝５８７．６ｎｍ）に対する屈折率及びアッベ数を示している。なお、この表１に示す面番号１〜２３は、図１に示す番号１〜２３に対応している。また、曲率半径0.0000はレンズ面においては平面を示し、開口絞りＳにおいては開口を示す。また、空気の屈折率1.00000は省略してある。また、最も像側の面（第２３面）の面間隔は、像面Ｉまでの光軸上の距離である。また、レンズ群焦点距離は、各レンズ群が開始する面番号（始面）および各レンズ群の焦点距離をそれぞれ示している。ここで、以下の全ての諸元値において掲載されている焦点距離ｆ、曲率半径ｒ、面間隔ｄ、その他長さの単位は一般に「ｍｍ」が使われるが、光学系は、比例拡大または比例縮小しても同等の光学性能が得られるので、これに限られるものではない。また、これらの符号の説明及び諸元表の説明は以降の実施例においても同様である。
【００５５】
（表１）
［全体諸元］
ｆ    ＝  32.0
ＦＮｏ＝   1.24
２ω  ＝  25.87
Ｙ    ＝   8.19
ＴＬ  ＝  58.02
空気換算全長＝59.21
［レンズデ−タ］
ｍ        r         d       ｎｄ      νd
1      37.5685   4.8000  1.696800   55.52
2     411.9694   0.2000
3      30.0000   4.6000  1.593190   67.90
4      44.0000   0.1000
5      21.0000   5.0000  1.816000   46.59
6      29.5000   1.0000
7      61.7324   1.4000  1.728250   28.38
8      11.9180   4.8000
9       0.0000   4.4000                    開口絞りＳ
10     -11.4439   1.4000  1.688930   31.16
11     889.1944   4.0000  1.902650   35.73
12     -18.9486   0.1000
13    -267.0096   3.0000  1.772500   49.62
14     -28.4461    (d14)
15      43.4744   4.8000  1.883000   40.66
16     -21.7824   1.4000  1.805180   25.45
17     245.1702    (d17)
18       0.0000   0.5000  1.516800   63.88
19       0.0000   1.1100
20       0.0000   1.5900  1.516800   63.88
21       0.0000   0.3000
22     0.0000   0.7000  1.516800   63.88
23     0.0000   0.7000
［レンズ群焦点距離］
レンズ群    始面    焦点距離
第１レンズ群    1       51.17
第２レンズ群   15       48.44
【００５６】
また、上述したように、この第１実施例に係る撮影レンズＳＬ１において、無限遠物体から近距離物体への合焦に際し、第１レンズ群ＧＦ及び第２レンズ群ＧＲが光軸上を移動するため、第１レンズ群ＧＦと第２レンズ群ＧＲとの軸上空気間隔ｄ１４、第２レンズ群ＧＲとフィルター群ＦＬとの軸上空気間隔ｄ１７、及び、バックフォーカスＢｆが変化する。次の表２に、無限遠合焦状態、中間撮影距離合焦状態、及び、近距離合焦状態における可変間隔を示す。なお、この表２において、中間撮影距離は撮影倍率−０．０１倍の撮影距離であり、近距離は撮影倍率−０．０７倍の撮影距離である。また、バックフォーカスＢｆは第２レンズ群ＧＲの最も像側のレンズ面（第１７面）から像面Ｉまでの光軸上の距離を表している。
【００５７】
（表２）
無限遠    中間撮影距離    近距離
ｄ１４       1.32         1.55         3.30
ｄ１７      10.80        11.03        12.42
Ｂｆ        15.70        15.93        17.32
【００５８】
次の表３に、この第１実施例における各条件式対応値を示す。なおこの表３において、ＧＦｎ１は第１レンズ成分Ｇ１の媒質のｄ線に対する屈折率、ＧＦｎ２は第２レンズ成分Ｇ２の媒質のｄ線に対する屈折率、ＧＦν１は第１レンズ成分Ｇ１の媒質のｄ線に対するアッベ数、ＧＦν２は第２レンズ成分Ｇ２の媒質のｄ線に対するアッベ数、ｙＦ１は無限遠から撮影倍率−０．０１倍に合焦するときの第１レンズ群ＧＦの光軸上の移動量を、ｙＲ１は無限遠から撮影倍率−０．０１倍に合焦するときの第２レンズ群ＧＲの光軸上の移動量を、ＧＲｎ１は第１レンズＬ２１の媒質のｄ線に対する屈折率、ＧＲｎ２は第２レンズＬ２２の媒質のｄ線に対する屈折率、ＧＲν１は第１レンズＬ２１の媒質のｄ線に対するアッベ数、ＧＲν２は第２レンズＬ２２の媒質のｄ線に対するアッベ数をそれぞれ表している。これらの符号の説明は以降の実施例においても同様である。
【００５９】
（表３）
ＧＦｎ１＝1.69680
ＧＦｎ２＝1.59319
ＧＦν１＝55.52
ＧＦν２＝67.90
ｙＦ１＝-0.46
ｙＲ１＝-0.23
ＧＲｎ１＝1.88300
ＧＲｎ２＝1.80518
ＧＲν１＝40.66
ＧＲν２＝25.45
（１）ＧＲν１−ＧＲν２＝15.21
（２）ｙＲ１／ｙＦ１＝2.00
（３）（ＧＲｎ１＋ＧＲｎ２）／２＝1.84
（４）（ＧＦν１＋ＧＦν２）／２＝61.71
（５）（ＧＦｎ１＋ＧＦｎ２）／２＝1.65
【００６０】
このように、第１実施例に係る撮影レンズＳＬ１は、上記条件式（１）〜（５）を全て満足している。
【００６１】
図２に、この第１実施例に係る撮影レンズＳＬ１の無限遠合焦状態、中間撮影距離合焦状態及び近距離合焦状態における球面収差、非点収差、歪曲収差、倍率色収差、及び、コマ収差の諸収差図を示す。各収差図において、ＦＮＯはＦナンバーを、Ａは光線入射角［°］を、ＮＡは開口数を、Ｈ０は物体高を、それぞれ示している。また、各収差図において、ｄはｄ線（λ＝５８７．６ｎｍ）、ｇはｇ線（λ＝４３５．８ｎｍ）に対する収差を表しており、記載のないものはｄ線に対する収差を表している。また、非点収差図において、実線はサジタル像面を示し、破線はメリジオナル像面を示している。また、コマ収差図は、各入射角Ａ又は物体高Ｈ０において、実線はｄ線及びｇ線に対するメリジオナルコマ収差を表し、原点より右側の破線はｄ線に対するサジタルコマ収差を表している。なお、この収差図の説明は以降の実施例においても同様である。この図２に示す各収差図から明らかなように、この第１実施例に係る撮影レンズＳＬ１では、各合焦状態において諸収差が良好に補正されており、高い光学性能を有していることが分かる。
【００６２】
［第２実施例］
図３は、第２実施例に係る撮影レンズＳＬ２の構成を示す図である。この図３の撮影レンズＳＬ２において、レンズ成分（第１レンズ成分）Ｇ１は、物体側に凸面を向けた正メニスカスレンズＬ１１で構成され、レンズ成分（第２レンズ成分）Ｇ２は、物体側に凸面を向けた正メニスカスレンズＬ１２で構成され、レンズ成分Ｇ３は、物体側に凸面を向けた正メニスカスレンズＬ１３で構成され、レンズ成分Ｇ４は、物体側に凸面を向けた負メニスカスレンズＬ１４で構成され、接合レンズＧ５は、両凹レンズＬ１５と両凸レンズＬ１６とを張り合わせて構成され、レンズ成分Ｇ６は、物体側に凹面を向けた正メニスカスレンズＬ１７で構成され、接合レンズＧ７は、両凸レンズ（第１レンズ）Ｌ２１と両凹レンズ（第２レンズ）Ｌ２２とを張り合わせて構成される。また、フィルター群ＦＬは、３枚の平板状のフィルターで構成される。
【００６３】
また、このような構成に係る撮影レンズＳＬ２において、無限遠から近距離物体への合焦は、第１レンズ群ＧＦ及び第２レンズ群ＧＲを別々に物体側に繰出すことにより行われる。なお、開口絞りＳは、第１レンズ群ＧＦ内（上述のように、レンズ成分Ｇ４と接合レンズＧ５との間）に配置され、無限遠から近距離物体への合焦に際して第１レンズ群ＧＦと一体に移動する。
【００６４】
以下の表４に、本第２実施例に係る撮影レンズＳＬ２の諸元の値を掲げる。なお、この表４に示す面番号１〜２３は、図３に示す番号１〜２３に対応している。また、第２３面の面間隔は、像面Ｉまでの光軸上の距離である。
【００６５】
（表４）
［全体諸元］
ｆ    ＝  32.0
ＦＮｏ＝   1.24
２ω  ＝  25.87
Ｙ    ＝   8.50
ＴＬ  ＝  58.64
空気換算全長＝60.08
［レンズデ−タ］
ｍ        r         d       ｎｄ      νd
1      33.3687   5.0000  1.741000   52.77
2     187.2256   0.2000
3      35.3251   4.2000  1.593190   67.90
4      55.3641   0.1000
5      21.0000   5.2000  1.816000   46.59
6      29.5000   1.2000
7      61.1242   1.4000  1.728250   28.38
8      11.3597   5.4000
9       0.0000   4.6000                    開口絞りＳ
10     -10.5025   1.4000  1.698950   30.13
11     -67.5115   3.4000  1.883000   40.66
12     -17.8894   0.1000
13     -50.2106   2.9000  1.755000   52.34
14     -20.0233    (d14)
15      35.9724   5.4000  1.883000   40.66
16     -25.5094   1.4000  1.784720   25.64
17   -1109.8746    (d17)
18       0.0000   0.5000  1.516800   63.88
19       0.0000   1.1100
20       0.0000   1.5900  1.516800   63.88
21       0.0000   0.3000
22       0.0000   0.7000  1.516800   63.88
23       0.0000   0.7000
［レンズ群焦点距離］
レンズ群    始面    焦点距離
第１レンズ群    1       65.12
第２レンズ群   15       34.76
【００６６】
また、上述したように、この第２実施例に係る撮影レンズＳＬ２において、無限遠物体から近距離物体への合焦に際し、第１レンズ群ＧＦ及び第２レンズ群ＧＲが光軸上を移動するため、第１レンズ群ＧＦと第２レンズ群ＧＲとの軸上空気間隔ｄ１４、第２レンズ群ＧＲとフィルター群ＦＬとの軸上空気間隔ｄ１７、及び、バックフォーカスＢｆが変化する。次の表５に、無限遠合焦状態、中間撮影距離合焦状態、及び、近距離合焦状態における可変間隔を示す。なお、この表４において、中間撮影距離は撮影倍率−０．０１倍の撮影距離であり、近距離は撮影倍率−０．０７倍の撮影距離である。また、バックフォーカスＢｆは第２レンズ群ＧＲの最も像側のレンズ面（第１７面）から像面Ｉまでの光軸上の距離を表している。
【００６７】
（表５）
無限遠    中間撮影距離    近距離
ｄ１４       1.32         1.50         3.24
ｄ１７      10.52        10.79        12.43
Ｂｆ        15.42        15.69        17.33
【００６８】
次の表６に、この第２実施例における各条件式対応値を示す。
【００６９】
（表６）
ＧＦｎ１＝1.74100
ＧＦｎ２＝1.59319
ＧＦν１＝52.77
ＧＦν２＝67.90
ｙＦ１＝-0.46
ｙＲ１＝-0.28
ＧＲｎ１＝1.88300
ＧＲｎ２＝1.78472
ＧＲν１＝40.66
ＧＲν２＝25.64
（１）ＧＲν１−ＧＲν２＝15.02
（２）ｙＲ１／ｙＦ１＝1.67
（３）（ＧＲｎ１＋ＧＲｎ２）／２＝1.83
（４）（ＧＦν１＋ＧＦν２）／２＝60.34
（５）（ＧＦｎ１＋ＧＦｎ２）／２＝1.67
【００７０】
このように、第２実施例に係る撮影レンズＳＬ２は、上記条件式（１）〜（５）を全て満足している。
【００７１】
図４に、この第２実施例に係る撮影レンズＳＬ２の無限遠合焦状態、中間撮影距離合焦状態及び近距離合焦状態における球面収差、非点収差、歪曲収差、倍率色収差、及び、コマ収差の諸収差図を示す。この図４に示す各収差図から明らかなように、この第２実施例に係る撮影レンズＳＬ２では、各合焦状態において諸収差が良好に補正されており、高い光学性能を有していることが分かる。
【００７２】
［第３実施例］
図５は、第３実施例に係る撮影レンズＳＬ３の構成を示す図である。この図５の撮影レンズＳＬ３において、レンズ成分（第１レンズ成分）Ｇ１は、物体側に凸面を向けた正メニスカスレンズＬ１１で構成され、レンズ成分（第２レンズ成分）Ｇ２は、物体側に凸面を向けた正メニスカスレンズＬ１２で構成され、レンズ成分Ｇ３は、物体側に凸面を向けた正メニスカスレンズＬ１３で構成され、レンズ成分Ｇ４は、物体側に凸面を向けた負メニスカスレンズＬ１４で構成され、接合レンズＧ５は、両凹レンズＬ１５と両凸レンズＬ１６とを張り合わせて構成され、レンズ成分Ｇ６は、物体側に凹面を向けた正メニスカスレンズＬ１７で構成され、接合レンズＧ７は、両凸レンズ（第１レンズ）Ｌ２１と両凹レンズ（第２レンズ）Ｌ２２とを張り合わせて構成される。また、フィルター群ＦＬは、３枚の平板状のフィルターで構成される。
【００７３】
また、このような構成に係る撮影レンズＳＬ３において、無限遠から近距離物体への合焦は、第１レンズ群ＧＦ及び第２レンズ群ＧＲを別々に物体側に繰出すことにより行われる。なお、開口絞りＳは、第１レンズ群ＧＦ内（上述のように、レンズ成分Ｇ４と接合レンズＧ５との間）に配置され、無限遠から近距離物体への合焦に際して第１レンズ群ＧＦと一体に移動する。
【００７４】
以下の表７に、本第３実施例に係る撮影レンズＳＬ３の諸元の値を掲げる。なお、この表７に示す面番号１〜２３は、図５に示す番号１〜２３に対応している。また、第２３面の面間隔は、像面Ｉまでの光軸上の距離である。
【００７５】
（表７）
［全体諸元］
ｆ    ＝  32.0
ＦＮｏ＝   1.23
２ω  ＝  26.02
Ｙ    ＝   8.50
ＴＬ  ＝  58.84
空気換算全長＝60.19
［レンズデ−タ］
ｍ        r         d       ｎｄ      νd
1      36.5161   5.0000  1.696800   55.52
2     276.0257   0.2000
3      29.4465   4.2000  1.593190   67.90
4      44.6384   0.1000
5      21.0000   5.2000  1.816000   46.59
6      29.5000   1.2000
7      48.7652   1.4000  1.728250   28.38
8      11.1893   5.2000
9       0.0000   5.0000                    開口絞りＳ
10     -10.3948   1.4000  1.698950   30.13
11     -30.7156   3.4000  1.883000   40.66
12     -17.1583   0.1000
13     -47.6459   2.9000  1.755000   52.34
14     -19.1703    (d14)
15      33.6552   5.4000  1.883000   40.66
16     -23.6890   1.4000  1.784720   25.64
17     299.3305    (d17)
18       0.0000   0.5000  1.516800   63.88
19       0.0000   1.1100
20       0.0000   1.5900  1.516800   63.88
21       0.0000   0.3000
22       0.0000   0.7000  1.516800   63.88
23       0.0000   0.7000
［レンズ群焦点距離］
レンズ群    始面    焦点距離
第１レンズ群    1       63.96
第２レンズ群   15       36.09
【００７６】
また、上述したように、この第３実施例に係る撮影レンズＳＬ３において、無限遠物体から近距離物体への合焦に際し、第１レンズ群ＧＦ及び第２レンズ群ＧＲが光軸上を移動するため、第１レンズ群ＧＦと第２レンズ群ＧＲとの軸上空気間隔ｄ１４、第２レンズ群ＧＲとフィルター群ＦＬとの軸上空気間隔ｄ１７、及び、バックフォーカスＢｆが変化する。次の表８に、無限遠合焦状態、中間撮影距離合焦状態、及び、近距離合焦状態における可変間隔を示す。なお、この表８において、中間撮影距離は撮影倍率−０．０１倍の撮影距離であり、近距離は撮影倍率−０．０７倍の撮影距離である。また、バックフォーカスＢｆは第２レンズ群ＧＲの最も像側のレンズ面（第１７面）から像面Ｉまでの光軸上の距離を表している。
【００７７】
（表８）
無限遠    中間撮影距離    近距離
ｄ１４       1.32         1.57         3.14
ｄ１７      10.52        10.77        12.34
Ｂｆ        15.42        15.67        17.24
【００７８】
次の表９に、この第３実施例における各条件式対応値を示す。
【００７９】
（表９）
ＧＦｎ１＝1.69680
ＧＦｎ２＝1.59319
ＧＦν１＝55.52
ＧＦν２＝67.90
ｙＦ１＝−0.51
ｙＲ１＝−0.26
ＧＲｎ１＝1.88300
ＧＲｎ２＝1.78472
ＧＲν１＝40.66
ＧＲν２＝25.64
（１）ＧＲν１−ＧＲν２)＝15.02
（２）ｙＲ１／ｙＦ１＝1.99
（３）（ＧＲｎ１＋ＧＲｎ２）／２＝1.83
（４）（ＧＦν１＋ＧＦν２）／２＝61.71
（５）（ＧＦｎ１＋ＧＦｎ２）／２ ＝1.64
【００８０】
このように、第３実施例に係る撮影レンズＳＬ３は、上記条件式（１）〜（５）を全て満足している。
【００８１】
図６に、この第３実施例に係る撮影レンズＳＬ３の無限遠合焦状態、中間撮影距離合焦状態及び近距離合焦状態における球面収差、非点収差、歪曲収差、倍率色収差、及び、コマ収差の諸収差図を示す。この図６に示す各収差図から明らかなように、この第３実施例に係る撮影レンズＳＬ３では、各合焦状態において諸収差が良好に補正されており、高い光学性能を有していることが分かる。
【００８２】
［第４実施例］
図７は、第４実施例に係る撮影レンズＳＬ４の構成を示す図である。この図７の撮影レンズＳＬ４において、レンズ成分（第１レンズ成分）Ｇ１は、物体側に凸面を向けた正メニスカスレンズＬ１１で構成され、レンズ成分（第２レンズ成分）Ｇ２は、物体側に凸面を向けた正メニスカスレンズＬ１２で構成され、レンズ成分Ｇ３は、物体側に凸面を向けた正メニスカスレンズＬ１３で構成され、レンズ成分Ｇ４は、物体側に凸面を向けた負メニスカスレンズＬ１４で構成され、接合レンズＧ５は、両凹レンズＬ１５と両凸レンズＬ１６とを張り合わせて構成され、レンズ成分Ｇ６は、物体側に凹面を向けた正メニスカスレンズＬ１７で構成され、接合レンズＧ７は、両凸レンズ（第１レンズ）Ｌ２１と両凹レンズ（第２レンズ）Ｌ２２とを張り合わせて構成される。また、フィルター群ＦＬは、３枚の平板状のフィルターで構成される。
【００８３】
また、このような構成に係る撮影レンズＳＬ４において、無限遠から近距離物体への合焦は、第１レンズ群ＧＦ及び第２レンズ群ＧＲを別々に物体側に繰出すことにより行われる。なお、開口絞りＳは、第１レンズ群ＧＦ内（上述のように、レンズ成分Ｇ４と接合レンズＧ５との間）に配置され、無限遠から近距離物体への合焦に際して第１レンズ群ＧＦと一体に移動する。
【００８４】
以下の表１０に、本第４実施例に係る撮影レンズＳＬ４の諸元の値を掲げる。なお、この表１０に示す面番号１〜２３は、図７に示す番号１〜２３に対応している。また、第２３面の面間隔は、像面Ｉまでの光軸上の距離である。
【００８５】
（表１０）
［全体諸元］
ｆ    ＝  32.0
ＦＮｏ＝   1.24
２ω  ＝  25.87
Ｙ    ＝   8.50
ＴＬ  ＝  58.33
空気換算全長＝59.45
［レンズデ−タ］
ｍ        r         d       ｎｄ      νd
1      30.6584   5.0000  1.696800   55.52
2     188.4206   0.2000
3      47.2236   4.2000  1.593190   67.90
4     111.1195   0.1000
5      21.0000   5.0000  1.816000   46.59
6      29.5000   1.2000
7     137.0774   1.4000  1.717360   29.57
8      12.0035   5.1000
9       0.0000   4.8000                    開口絞りＳ
10     -11.2423   1.4000  1.672700   32.19
11    -171.9181   3.4000  1.883000   40.66
12     -18.5997   0.1000
13     -76.6435   3.0000  1.772500   49.62
14     -24.0738    (d14)
15      37.5074   5.3000  1.883000   40.66
16     -23.2407   1.4000  1.784720   25.64
17     483.1470    (d17)
18       0.0000   0.5000  1.516800   63.88
19       0.0000   1.1100
20       0.0000   1.5900  1.516800   63.88
21       0.0000   0.3000
22       0.0000   0.7000  1.516800   63.88
23       0.0000   0.7000
［レンズ群焦点距離］
レンズ群    始面    焦点距離
第１レンズ群    1       59.71
第２レンズ群   15       38.45
【００８６】
また、上述したように、この第４実施例に係る撮影レンズＳＬ４において、無限遠物体から近距離物体への合焦に際し、第１レンズ群ＧＦ及び第２レンズ群ＧＲが光軸上を移動するため、第１レンズ群ＧＦと第２レンズ群ＧＲとの軸上空気間隔ｄ１４、第２レンズ群ＧＲとフィルター群ＦＬとの軸上空気間隔ｄ１７、及び、バックフォーカスＢｆが変化する。次の表１１に、無限遠合焦状態、中間撮影距離合焦状態、及び、近距離合焦状態における可変間隔を示す。なお、この表８において、中間撮影距離は撮影倍率−０．０１倍の撮影距離であり、近距離は撮影倍率−０．０７倍の撮影距離である。また、バックフォーカスＢｆは第２レンズ群ＧＲの最も像側のレンズ面（第１７面）から像面Ｉまでの光軸上の距離を表している。
【００８７】
（表１１）
無限遠    中間撮影距離    近距離
ｄ１４       1.32         1.61         2.89
ｄ１７      10.52        10.75        12.44
Ｂｆ        15.42        15.35        17.34
【００８８】
次の表１２に、この第４実施例における各条件式対応値を示す。
【００８９】
（表１２）
ＧＦｎ１＝1.69680
ＧＦｎ２＝1.59319
ＧＦν１＝55.52
ＧＦν２＝67.90
ｙＦ１＝-0.53
ｙＲ１＝-0.24
ＧＲｎ１＝1.88300
ＧＲｎ２＝1.78472
ＧＲν１＝40.66
ＧＲν２＝25.64
（１）ＧＲν１−ＧＲν２＝15.02
（２）ｙＲ１／ｙＦ１＝2.50
（３）（ＧＲｎ１＋ＧＲｎ２）／２＝1.83
（４）（ＧＦν１＋ＧＦν２）／２＝61.71
（５）（ＧＦｎ１＋ＧＦｎ２）／２＝1.65
【００９０】
このように、第４実施例に係る撮影レンズＳＬ４は、上記条件式（１）〜（５）を全て満足している。
【００９１】
図８に、この第４実施例に係る撮影レンズＳＬ４の無限遠合焦状態、中間撮影距離合焦状態及び近距離合焦状態における球面収差、非点収差、歪曲収差、倍率色収差、及び、コマ収差の諸収差図を示す。この図８に示す各収差図から明らかなように、この第４実施例に係る撮影レンズＳＬ４では、各合焦状態において諸収差が良好に補正されており、高い光学性能を有していることが分かる。
【００９２】
［第５実施例］
図９は、第５実施例に係る撮影レンズＳＬ５の構成を示す図である。この図９の撮影レンズＳＬ５において、レンズ成分（第１レンズ成分）Ｇ１は、物体側に凸面を向けた正メニスカスレンズＬ１１で構成され、レンズ成分（第１レンズ成分）Ｇ２は、物体側に凸面を向けた正メニスカスレンズＬ１２で構成され、レンズ成分Ｇ３は、物体側に凸面を向けた正メニスカスレンズＬ１３で構成され、レンズ成分Ｇ４は、物体側に凸面を向けた負メニスカスレンズＬ１４で構成され、接合レンズＧ５は、両凹レンズＬ１５と両凸レンズＬ１６とを張り合わせて構成され、レンズ成分Ｇ６は、物体側に凹面を向けた正メニスカスレンズＬ１７で構成され、接合レンズＧ７は、両凸レンズ（第１レンズ）Ｌ２１と両凹レンズ（第２レンズ）Ｌ２２と両凹レンズＬ２３とを張り合わせて構成される。また、フィルター群ＦＬは、３枚の平板状のフィルターで構成される。
【００９３】
また、このような構成に係る撮影レンズＳＬ５において、無限遠から近距離物体への合焦は、第１レンズ群ＧＦ及び第２レンズ群ＧＲを別々に物体側に繰出すことにより行われる。なお、開口絞りＳは、第１レンズ群ＧＦ内（上述のように、レンズ成分Ｇ４と接合レンズＧ５との間）に配置され、無限遠から近距離物体への合焦に際して第１レンズ群ＧＦと一体に移動する。
【００９４】
以下の表１３に、本第５実施例に係る撮影レンズＳＬ５の諸元の値を掲げる。なお、この表１３に示す面番号１〜２４は、図９に示す番号１〜２４に対応している。また、第２４面の面間隔は、像面Ｉまでの光軸上の距離である。
【００９５】
（表１３）
［全体諸元］
ｆ    ＝  32.0
ＦＮｏ＝   1.24
２ω  ＝  28.88
Ｙ    ＝   8.19
ＴＬ  ＝  61.44
空気換算全長＝62.94
［レンズデ−タ］
ｍ        r         d       ｎｄ      νd
1      35.2230   5.0000  1.696800   55.52
2    2329.3924   0.2000
3      38.0458   4.2000  1.593190   67.90
4      50.0837   0.1000
5      21.0000   5.0000  1.816000   46.59
6      29.5000   1.2000
7     105.3654   1.4000  1.717360   29.57
8      12.3545   5.1000
9       0.0000   4.8000                    開口絞りS)
10     -11.5166   1.4000  1.672700   32.19
11     -88.9746   3.4000  1.902650   35.73
12     -19.2301   0.1000
13     -43.6774   3.0000  1.741000   52.77
14     -21.6579    (d14)
15      39.5177   4.4000  1.883000   40.66
16     -31.6025   1.4000  1.761820   26.58
17      38.3587   4.0000  1.772500   49.62
18    -159.4859    (d18)
19       0.0000   0.5000  1.516800   63.88
20       0.0000   1.1100
21       0.0000   1.5900  1.516800   63.88
22       0.0000   0.3000
23       0.0000   0.7000  1.516800   63.88
24       0.0000   0.7000
［レンズ群焦点距離］
レンズ群    始面    焦点距離
第１レンズ群    1       74.83
第２レンズ群   15       32.85
【００９６】
また、上述したように、この第５実施例に係る撮影レンズＳＬ５において、無限遠物体から近距離物体への合焦に際し、第１レンズ群ＧＦ及び第２レンズ群ＧＲが光軸上を移動するため、第１レンズ群ＧＦと第２レンズ群ＧＲとの軸上空気間隔ｄ１４、第２レンズ群ＧＲとフィルター群ＦＬとの軸上空気間隔ｄ１８、及び、バックフォーカスＢｆが変化する。次の表１４に、無限遠合焦状態、中間撮影距離合焦状態、及び、近距離合焦状態における可変間隔を示す。なお、この表１４において、中間撮影距離は撮影倍率−０．０１倍の撮影距離であり、近距離は撮影倍率−０．０７倍の撮影距離である。また、バックフォーカスＢｆは第２レンズ群ＧＲの最も像側のレンズ面（第１８面）から像面Ｉまでの光軸上の距離を表している。
【００９７】
（表１４）
無限遠    中間撮影距離    近距離
ｄ１４       1.32         1.51         3.17
ｄ１８      10.52        10.80        12.87
Ｂｆ        15.42        15.70        17.77
【００９８】
次の表１５に、この第５実施例における各条件式対応値を示す。なお、第２レンズ群ＧＲに配置された接合レンズＧ７において、第１レンズは両凸レンズＬ２１が相当し、第２レンズは両凹レンズＬ２２が相当する。
【００９９】
（表１５）
ＧＦｎ１＝1.69680
ＧＦｎ２＝1.59319
ＧＦν１＝55.52
ＧＦν２＝67.90
ｙＦ１＝-0.48
ｙＲ１＝-0.29
ＧＲｎ１＝1.88300
ＧＲｎ２＝1.76182
ＧＲν１＝40.66
ＧＲν２＝26.58
（１）ＧＲν１−ＧＲν２＝14.08
（２）ｙＦ１／ｙＲ１＝1.65
（３）（ＧＲｎ１＋ＧＲｎ２）／２＝1.82
（４）（ＧＦν１＋ＧＦν２）／２＝61.71
（５）（ＧＦｎ１＋ＧＦｎ２）／２＝1.64
【０１００】
このように、第５実施例に係る撮影レンズＳＬ５は、上記条件式（１）〜（５）を全て満足している。
【０１０１】
図１０に、この第５実施例に係る撮影レンズＳＬ５の無限遠合焦状態、中間撮影距離合焦状態及び近距離合焦状態における球面収差、非点収差、歪曲収差、倍率色収差、及び、コマ収差の諸収差図を示す。この図１０に示す各収差図から明らかなように、この第５実施例に係る撮影レンズＳＬ５では、各合焦状態において諸収差が良好に補正されており、高い光学性能を有していることが分かる。
【０１０２】
［第６実施例］
図１１は、第６実施例に係る撮影レンズＳＬ６の構成を示す図である。この図１１の撮影レンズＳＬ６は、上述の第１レンズ群ＧＦ及び第２レンズ群ＧＲを有し、さらに、第２レンズ群ＧＲの像側にレンズ成分Ｇ８からなる第３レンズ群ＧＳを有して構成されている。この撮影レンズＳＬ６において、レンズ成分（第１レンズ成分）Ｇ１は、物体側に凸面を向けた正メニスカスレンズＬ１１で構成され、レンズ成分（第２レンズ成分）Ｇ２は、物体側に凸面を向けた正メニスカスレンズＬ１２で構成され、レンズ成分Ｇ３は、物体側に凸面を向けた正メニスカスレンズＬ１３で構成され、レンズ成分Ｇ４は、物体側に凸面を向けた負メニスカスレンズＬ１４で構成され、接合レンズＧ５は、両凹レンズＬ１５と両凸レンズＬ１６とを張り合わせて構成され、レンズ成分Ｇ６は、物体側に凹面を向けた正メニスカスレンズＬ１７で構成され、接合レンズＧ７は、両凸レンズ（第１レンズ）Ｌ２１と物体側に凹面を向けた負メニスカスレンズ（第２レンズ）Ｌ２２とを張り合わせて構成され、レンズ成分Ｇ８は物体側に凸面を向けた正メニスカスレンズＬ３１で構成される。また、フィルター群ＦＬは、３枚の平板状のフィルターで構成される。
【０１０３】
また、このような構成に係る撮影レンズＳＬ６において、無限遠から近距離物体への合焦は、第１レンズ群ＧＦ及び第２レンズ群ＧＲを別々に物体側に繰出すことにより行われる。なお、開口絞りＳは、第１レンズ群ＧＦ内（上述のように、レンズ成分Ｇ４と接合レンズＧ５との間）に配置され、無限遠から近距離物体への合焦に際して第１レンズ群ＧＦと一体に移動する。また、第３レンズ群ＧＳは、合焦に際しに、光軸方向に固定されている。
【０１０４】
以下の表１６に、本第６実施例に係る撮影レンズＳＬ６の諸元の値を掲げる。なお、この表１６に示す面番号１〜２５は、図１１に示す番号１〜２５に対応している。また、第２５面の面間隔は、像面Ｉまでの光軸上の距離である。
【０１０５】
（表１３）
［全体諸元］
ｆ    ＝  32.0
ＦＮｏ＝   1.24
２ω  ＝  28.85
Ｙ    ＝   8.19
ＴＬ  ＝  59.84
空気換算全長＝61.35
［レンズデ−タ］
ｍ        r         d       ｎｄ      νd
1      28.0439   5.0000  1.696800   55.52
2     162.3070   0.2000
3      52.1325   4.2000  1.593190   67.90
4     112.4201   0.1000
5      21.0000   5.0000  1.816000   46.59
6      29.5000   1.2000
7     151.8454   1.4000  1.717360   29.57
8      11.6217   5.1000
9       0.0000   4.8000                    開口絞りＳ
10     -11.0935   1.4000  1.672700   32.19
11     530.1295   3.4000  1.902650   35.73
12     -19.7010   0.1000
13    -774.3486   3.0000  1.804000   46.60
14     -27.6600    (d14)
15      80.1743   5.3000  1.755000   52.34
16     -20.6545   1.4000  1.805180   25.45
17     -62.8846    (d17)
18      34.2721   4.0000  1.883000   40.66
19      35.2568   7.3207
20       0.0000   0.5000  1.516800   63.88
21       0.0000   1.1100
22       0.0000   1.5900  1.516800   63.88
23       0.0000   0.3000
24       0.0000   0.7000  1.516800   63.88
25       0.0000   0.7000
［レンズ群焦点距離］
レンズ群    始面    焦点距離
第１レンズ群    1       52.80
第２レンズ群   15       51.48
第３レンズ群   18      478.39
【０１０６】
また、上述したように、この第６実施例に係る撮影レンズＳＬ６において、無限遠物体から近距離物体への合焦に際し、第１レンズ群ＧＦ及び第２レンズ群ＧＲが光軸上を移動するため、第１レンズ群ＧＦと第２レンズ群ＧＲとの軸上空気間隔ｄ１４、第２レンズ群ＧＲと第３レンズ群Ｇ３との軸上空気間隔ｄ１７が変化する。次の表１７に、無限遠合焦状態、中間撮影距離合焦状態、及び、近距離合焦状態における可変間隔を示す。なお、この表１７において、中間撮影距離は撮影倍率−０．０１倍の撮影距離であり、近距離は撮影倍率−０．０７倍の撮影距離である。また、バックフォーカスＢｆは第３レンズ群Ｇ３の最も像側のレンズ面（第１９面）から像面Ｉまでの光軸上の距離を表している。
【０１０７】
（表１７）
無限遠    中間撮影距離    近距離
ｄ１４       1.32         1.52         3.19
ｄ１７       0.70         0.99         3.08
Ｂｆ        12.22        12.22        12.22
【０１０８】
次の表１８に、この第６実施例における各条件式対応値を示す。
【０１０９】
（表１８）
ＧＦｎ１＝1.69680
ＧＦｎ２＝1.59319
ＧＦν１＝55.22
ＧＦν２＝67.90
ｙＦ１＝-0.49
ｙＲ１＝-0.29
ＧＲｎ１＝1.75500
ＧＲｎ２＝1.80518
ＧＲν１＝52.34
ＧＲν２＝25.45
（１）ＧＲν１−ＧＲν２＝26.89
（２）ｙＦ１／ｙＲ１＝1.69
（３）（ＧＲｎ１＋ＧＲｎ２）／２＝1.78
（４）（ＧＦν１＋ＧＦν２）／２＝61.56
（５）（ＧＦｎ１＋ＧＦｎ２）／２＝1.64
【０１１０】
このように、第６実施例に係る撮影レンズＳＬ６は、上記条件式（１）〜（５）を全て満足している。
【０１１１】
図１２に、この第６実施例に係る撮影レンズＳＬ６の無限遠合焦状態、中間撮影距離合焦状態及び近距離合焦状態における球面収差、非点収差、歪曲収差、倍率色収差、及び、コマ収差の諸収差図を示す。この図１２に示す各収差図から明らかなように、この第６実施例に係る撮影レンズＳＬ６では、各合焦状態において諸収差が良好に補正されており、高い光学性能を有していることが分かる。
【符号の説明】
【０１１２】
ＳＬ（ＳＬ１〜ＳＬ６）  撮影レンズ
ＧＦ  第１レンズ群    ＧＲ  第２レンズ群
Ｇ１  第１レンズ成分    Ｇ２  第２レンズ成分
Ｇ７  接合レンズ    Ｌ２１  第１レンズ    Ｌ２２  第２レンズ
Ｓ  開口絞り    １  一眼レフカメラ（光学機器）
【図１】
2012185263.tif 000003
【図２】
2012185263.tif 000004
【図３】
2012185263.tif 000005
【図４】
2012185263.tif 000006
【図５】
2012185263.tif 000007
【図６】
2012185263.tif 000008
【図７】
2012185263.tif 000009
【図８】
2012185263.tif 000010
【図９】
2012185263.tif 000011
【図１０】
2012185263.tif 000012
【図１１】
2012185263.tif 000013
【図１２】
2012185263.tif 000014
【図１３】
2012185263.tif 000015
【図１４】
2012185263.tif 000016